(57)【特許請求の範囲】
【請求項１】
機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、
前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能かつ上下動可能に支持された一対のロックレバーと、これら両ロックレバーを対応する前記第１および第２の施錠杆と逆向きに付勢する第２の弾性手段と、前記シリンダ錠の鍵穴に差し込んだキーの回転操作によって前記ベース部材の長手方向に沿って上下動するロック解除部材とを有しており、
前記本体枠と前記前面扉がいずれも施錠されているとき、一対の前記ロックレバーがそれぞれ長手方向の第１位置で対応する前記第１および第２の施錠杆と係止することにより、これら第１および第２の施錠杆が前記鉤部を対応する前記受け部に係止した状態でロックされており、
前記キーの回転操作に伴って前記ロック解除部材を上下いずれか一方へ移動したとき、該ロック解除部材がいずれか一方の前記ロックレバーを揺動させて対応する前記第１または第２の施錠杆のロック状態を解除すると共に、当該ロックレバーが前記第２の弾性手段の付勢力を受けて長手方向の第２位置へ移行するようになし、かつ、前記ロック解除部材がロック解除された前記第１または第２の施錠杆を前記第１の弾性手段の付勢力に抗して該ロック解除部材と同じ方向へ移動するようにしたことを特徴とするパチンコ機。
【請求項２】
請求項１の記載において、前記ベース部材に前記第１の施錠杆に係脱可能な第１の規制レバーと前記第２の施錠杆に係脱可能な第２の規制レバーとが支持されており、前記本体枠と前記前面扉がいずれも施錠されているとき、前記第１の規制レバーは前記機枠に当接して前記第１の施錠杆との係合を解除していると共に、前記第２の規制レバーは前記前面扉に当接して前記第２の施錠杆との係合を解除しており、前記本体枠が前記機枠に対して解錠されたとき、前記第１の規制レバーは前記機枠から離反して前記第１の施錠杆をロック状態となし、前記前面扉が前記本体枠に対して解錠されたとき、前記第２の規制レバーは前記前面扉から離反して前記第２の施錠杆をロック状態となすようにしたことを特徴とするパチンコ機。
【発明の詳細な説明】
【技術分野】
【０００１】
本発明は、遊技盤を目視可能な前面扉が本体枠に対して開閉可能に支持されていると共に、この本体枠が機枠に対して開閉可能に支持されているパチンコ機に係り、特に、機枠に対する本体枠の施錠と本体枠に対する前面扉の施錠を行う施錠装置の改良に関するものである。
【背景技術】
【０００２】
一般的にパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉の中央部に形成された開口部には遊技盤を目視可能な透明板が取り付けられている。本体枠の背面側には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者が前面扉や本体枠を無断で開放して不正行為をするのを防止するために、通常は本体枠にシリンダ錠を有する施錠装置を組み込み、この施錠装置を用いて機枠に対する本体枠の施錠と本体枠に対する前面扉の施錠とを行うようにしている。この種の施錠装置は、本体枠に取り付けられた縦長状のベース部材に一対の施錠杆を上下動可能に支持し、一方の施錠杆に形成された鉤部を機枠側の受け部に係止させると共に、他方の施錠杆に形成された鉤部を前面扉側の受け部に係止させるようにしている。そして、ベース部材に設けられたシリンダ錠を前面扉の前方へ露出させ、このシリンダ錠の鍵穴に差し込んだキーを正逆いずれかの方向に回転操作して一対の施錠杆を選択的に上下動させることにより、移動した側の鉤部と受け部との係止を外して解錠するようになっている。しかしながら、前面扉や本体枠が施錠状態であっても、本体枠の周囲にできる隙間から針金やピアノ線等を内部に挿入し、その先端を施錠杆に引っ掛けて鉤部が受け部から外れるように移動させると、前面扉や本体枠がキーを用いずに不正に解錠されてしまうという問題がある。
【０００４】
そこで、従来より、ベース部材に一対のロックレバーを揺動可能に支持すると共に、各施錠杆にそれぞれロック受け部材を揺動可能に支持し、前面扉と本体枠が施錠状態にあるとき、各ロックレバーを機枠側の当接部と前面扉側の当接部にそれぞれ当接させることにより、これらロックレバーを対応するロック受け部材に係合させて施錠杆の上下動を阻止するようにした施錠装置が提案されている（例えば、特許文献１参照）。この施錠装置では、シリンダ錠の鍵穴に差し込んだキーを回転操作すると、錠軸に取り付けられたカム部材がロック解除部材を上下動させ、それに伴ってロック解除部材がロック受け部材とロックレバーの係合を外すことにより、施錠杆のロックを解除して前面扉や本体枠を開放できるようになっている。
【先行技術文献】
【特許文献】
【０００５】
【特許文献１】特開２０１０−１３１２６６号公報
【発明の概要】
【発明が解決しようとする課題】
【０００６】
しかしながら、特許文献１に開示された従来の施錠装置においては、ベース部材に揺動可能に支持したロックレバーを機枠側や前面扉側の当接部に押し当てて変位させることにより、このロックレバーを対応するロック受け部材に係合させて施錠杆の上下動をロックする構成となっているので、製造上の寸法誤差や経年劣化等に起因してロックレバーの押し込み量が変動すると、施錠杆のロック動作／ロック解除が不完全になる虞があった。すなわち、ロックレバーの押し込み量が規定値に対して不足すると、前面扉や本体枠を閉じてもロックレバーがロック受け部材と係合しなくなるため、施錠杆をロックすることができなくなる。その反対にロックレバーの押し込み量が規定値に対して多くなり過ぎると、キーの回転操作によってロック解除部材を上下動させても、ロック受け部材がロックレバーから外れなくなるため、前面扉や本体枠を開放しようとしても施錠杆をロック解除できなくなる。
【０００７】
このように、特許文献１に開示された従来の施錠装置では、本体枠に組み込まれたベース部材側のロックレバーと機枠側や前面扉側の当接部との相対位置に寸法的な余裕がほとんどなく、しかも、機枠や前面扉の構造（当接部の位置等）を配慮した設計が余儀なくされるため、ロック機構やレイアウト等の制限が厳しいものとなり、設計上の自由度が小さいという難点があった。
【０００８】
本発明は、このような従来技術の実情に鑑みてなされたもので、その目的は、本体枠に組み付けた施錠装置をシリンダ錠の鍵穴に差し込んだキーによって確実に解錠／施錠することができるパチンコ機を提供することにある。
【課題を解決するための手段】
【０００９】
上記の目的を達成するために、本発明は、機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能かつ上下動可能に支持された一対のロックレバーと、これら両ロックレバーを対応する前記第１および第２の施錠杆と逆向きに付勢する第２の弾性手段と、前記シリンダ錠の鍵穴に差し込んだキーの回転操作によって前記ベース部材の長手方向に沿って上下動するロック解除部材とを有しており、前記本体枠と前記前面扉がいずれも施錠されているとき、一対の前記ロックレバーがそれぞれ長手方向の第１位置で対応する前記第１および第２の施錠杆と係止することにより、これら第１および第２の施錠杆が前記鉤部を対応する前記受け部に係止した状態でロックされており、前記キーの回転操作に伴って前記ロック解除部材を上下いずれか一方へ移動したとき、該ロック解除部材がいずれか一方の前記ロックレバーを揺動させて対応する前記第１または第２の施錠杆のロック状態を解除すると共に、当該ロックレバーが前記第２の弾性手段の付勢力を受けて長手方向の第２位置へ移行するようになし、かつ、前記ロック解除部材がロック解除された前記第１または第２の施錠杆を前記第１の弾性手段の付勢力に抗して該ロック解除部材と同じ方向へ移動するようにした。
【００１０】
このように構成されたパチンコ機では、本体枠と前面扉がいずれも施錠されているとき、機枠側の受け部に係止している第１の施錠杆の上下動が一方のロックレバーによって阻止されていると共に、前面扉側の受け部に係止している第２の施錠杆の上下動が他方のロックレバーによって阻止されているため、外部から挿入した針金等を用いて第１および第２の施錠杆を移動することはできず、キーを用いずに前面扉や本体枠を解錠するという不正行為を防止することができる。
【００１１】
そして、本体枠と前面扉のいずれか一方、例えば機枠に対して本体枠を解錠する場合は、キーを回転操作してロック解除部材を上下いずれか一方へ移動させると、その移動方向に応じて一方のロックレバーが揺動して第１の施錠杆とのロック状態を解除するため、第１の施錠杆はロック解除部材に押圧されながら第１の弾性手段の付勢力に抗して初期位置から離反する方向へ移動し、同時にロックレバーは第２の弾性手段の付勢力によって第１の施錠杆と同方向へ移動する。これにより、第１の施錠杆の鉤部と機枠側の受け部との係合を解除することができ、その解除後にキーを逆向きに回転操作してロック解除部材を初期位置に戻すと、ロック解除部材の移動に伴って第１の施錠杆は第１の弾性手段の付勢力を受けながら初期位置へ移動するが、一方のロックレバーは第２の弾性手段の付勢力によって初期位置から離反した位置に保持されるため、本体枠は一方のロックレバーと第１の施錠杆をアンロック状態としたまま機枠に対して開放される。なお、本体枠に対して前面扉を解錠する場合は、キーを上記と逆向きに回転操作してロック解除部材を上下動させると、他方のロックレバーが揺動して第２の施錠杆とのロック状態を解除することにより、第２の施錠杆の鉤部と前面扉側の受け部との係合を解除することができ、この場合、前面扉は他方のロックレバーと第２の施錠杆をアンロック状態としたまま本体枠に対して開放される。
【００１２】
また、解錠状態にある本体枠と前面扉のいずれか一方、例えば機枠に対して本体枠を施錠する場合は、本体枠を閉鎖方向へ回動して第１の施錠杆の鉤部を機枠側の受け部に当接させた後、本体枠をさらに閉鎖方向へ回動して機枠側へ押し込むと、第１の施錠杆は鉤部が受け部を通過するまで初期位置から離反する方向へ移動し、その後に第１の弾性手段の付勢力によって初期位置へ戻るため、第１の施錠杆の鉤部を機枠側の受け部に係止させることができる。この場合、ロック解除部材は移動せずに初期位置に保持されたままであるため、第１の施錠杆が初期位置に向かって移動する途中で一方のロックレバーが第１の施錠杆に係合し、このロックレバーは第１の施錠杆に係合したままロック位置に戻る。したがって、機枠に対して本体枠を閉じると、第１の施錠杆の上下動が再び一方のロックレバーによって阻止され、外部から挿入した針金等を用いて第１の施錠杆を移動することはできなくなる。なお、本体枠に対して前面扉を施錠する場合は、前面扉を閉鎖方向へ回動して前面扉側の受け部を第２の施錠杆の鉤部に当接させた後、前面扉をさらに閉鎖方向へ回動して本体枠側へ押し込めば良い。この場合、第２の施錠杆が初期位置に向かって移動する途中で他方のロックレバーが第２の施錠杆に係合し、このロックレバーは第２の施錠杆に係合したままロック位置に戻るため、本体枠に対して前面扉を閉じると、第２の施錠杆の上下動が再び他方のロックレバーによって阻止され、外部から挿入した針金等を用いて第２の施錠杆を移動することはできなくなる。
【００１３】
上記の構成において、ベース部材に第１の施錠杆に係脱可能な第１の規制レバーと第２の施錠杆に係脱可能な第２の規制レバーとが支持されており、本体枠と前面扉がいずれも施錠されているとき、第１の規制レバーは機枠に当接して第１の施錠杆との係合を解除していると共に、第２の規制レバーは前面扉に当接して第２の施錠杆との係合を解除しており、本体枠が機枠に対して解錠されたとき、第１の規制レバーは機枠から離反して第１の施錠杆をロック状態となし、前面扉が本体枠に対して解錠されたとき、第２の規制レバーは前面扉から離反して第２の施錠杆をロック状態となすようにすれば、本体枠や前面扉が開放されているときに、第１の施錠杆や第２の施錠杆が対応するロックレバーに誤ってロックされてしまうことを防止できる。
【発明の効果】
【００１４】
本発明のパチンコ機は、本体枠と前面扉がいずれも施錠されているとき、機枠側の受け部に係止している第１の施錠杆の上下動が一方のロックレバーによって阻止されていると共に、前面扉側の受け部に係止している第２の施錠杆の上下動が他方のロックレバーによって阻止されているため、外部から挿入した針金等を用いて第１および第２の施錠杆を移動することはできず、キーを用いずに前面扉や本体枠を解錠するという不正行為を防止することができる。そして、シリンダ錠の鍵穴に差し込んだキーを回転操作してロック解除部材を上下動させると、一対のロックレバーが選択的に揺動して第１の施錠杆や第２の施錠杆をロック解除することができ、開放状態にある前面扉や本体枠を閉じると、ロックレバーを機枠や前面扉に当接させることなくロック位置に戻すことができる。したがって、このパチンコ機は、本体枠に組み付けた施錠装置をキーの回転操作によって確実に解錠／施錠することができると共に、ロック機構や施錠装置の配置場所等を含めた設計上の自由度を高めることができる。
【図面の簡単な説明】
【００１５】
【図１】本発明の実施形態例に係るパチンコ機の斜視図である。
【図２】図１に示すパチンコ機の前面扉を開放した状態の斜視図である。
【図３】図１に示すパチンコ機の背面図である。
【図４】図１のパチンコ機に備えられる施錠装置の斜視図である。
【図５】該施錠装置の側面図である。
【図６】該施錠装置の分解斜視図である。
【図７】機枠に対して本体枠を開閉するときの該施錠装置の動作説明図である。
【図８】図７（ａ）の要部拡大図である。
【図９】図７（ｂ）の要部拡大図である。
【図１０】図７（ｃ）の要部拡大図である。
【図１１】図７（ｄ）の要部拡大図である。
【図１２】図７（ｅ）の要部拡大図である。
【図１３】本体枠に対して前面扉を開閉するときの該施錠装置の動作説明図である。
【図１４】図１３（ｂ）の要部拡大図である。
【図１５】図１３（ｃ）の要部拡大図である。
【図１６】図１３（ｄ）の要部拡大図である。
【図１７】図１３（ｅ）の要部拡大図である。
【発明を実施するための形態】
【００１６】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１７】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１８】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１９】
本体枠２の右側枠部は第１ヒンジ機構と反対側の自由端側であり、この右側枠部の裏面には図４等に示す施錠装置３０が設置されている。詳細な構成については後述するが、この施錠装置３０は、シリンダ錠１１や後部施錠杆（第１の施錠杆）３１や前部施錠杆（第２の施錠杆）３２等を備えており、シリンダ錠１１は本体枠２の前方へ突出して前面扉３の切欠き３ｂ内に露出するようになっている。常態では、施錠装置３０の後部施錠杆３１により本体枠２が機枠１に対して施錠されると共に、前部施錠杆３２により前面扉３が本体枠２に対して施錠されている。そして、シリンダ錠１１の鍵穴に差し込んだ図示せぬキーを一方向（例えば時計回り）へ回転操作すると、後部施錠杆３１が下動して本体枠２が解錠され、シリンダ錠１１ａの鍵穴に差し込んだキーを他方向（反時計回り）へ回転操作すると、前部施錠杆３２が上動して前面扉３が解錠されるようになっている。
【００２０】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２１】
図３に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、大当たり回数等の各種情報を遊技場のホールコンピュータに出力する外部端子基板２２等が設けられている。
【００２２】
図４〜図６に示すように、前記施錠装置３０は、本体枠２の右側枠部に取り付けられる縦長状のベース部材３３と、ベース部材３３の一面側に固定された取付板３４と、取付板３４にネジ止めされた前記シリンダ錠１１と、シリンダ錠１１の錠軸に取り付けられたカム板３５と、ベース部材３３の他面側に上下動可能に支持された前記後部施錠杆３１および前部施錠杆３２と、ベース部材３３の他面側に揺動可能かつ上下動可能に支持された第１および第２のロックレバー３６，３７と、ベース部材３３の他面側に揺動可能に支持された第１および第２の規制レバー３８，３９と、ベース部材３３の長手方向に沿って上下動可能なロック解除部材４０等を備えている。
【００２３】
ベース部材３３は金属板からなり、その中央よりも下側箇所に一対のガイド孔３３ａ，３３ｂと一対の段付き孔３３ｃ，３３ｄが形成されている。各ガイド孔３３ａ，３３ｂは上下方向を長軸とするトラック形状の長孔であり、下側のガイド孔３３ａの斜め上方に一方の段付き孔３３ｃが位置し、上側のガイド孔３３ｂの斜め下方に他方の段付き孔３３ｄが位置している。
【００２４】
シリンダ錠１１は前面側に露出する鍵穴１１ａを有しており、この鍵穴１１ａに差し込んだキーを回転操作すると、その回転方向に応じてカム板３５が所定角度の範囲内を回転するようになっている。このカム板３５は二股形状の駆動腕３５ａ，３５ｂを有しており、これら駆動腕３５ａ，３５ｂはベース部材３３を挿通してロック解除部材４０の連結孔４０ａ，４０ｂに係合している。
【００２５】
後部施錠杆３１と前部施錠杆３２およびロック解除部材４０はいずれも金属板からなり、これらは複数本のピン４１を用いてベース部材３３の他面側に積層状態で上下動可能に支持されている。後部施錠杆３１は第１の弾性手段であるコイルばね４２によって上方へ付勢されており、この後部施錠杆３１の上下両端には鉤部３１ａが形成されている。これら鉤部３１ａは本体枠２の背面側へ突出しており、本体枠２が機枠１に対して施錠されているとき、鉤部３１ａは機枠１に設けられた受け部１ａに係止するようなっている（図８参照）。また、後部施錠杆３１の一側面には下側係合凹部３１ｂと上側係合凹部３１ｃが形成されており、後部施錠杆３１の他側面には係合突起３１ｄが形成されている。
【００２６】
前部施錠杆３２は第１の弾性手段であるコイルばね４３によって下方へ付勢されており、この前部施錠杆３２の上下両端と中央付近は鉤部３２ａが形成されている。これら鉤部３１ａは本体枠２の前面側へ突出しており、前面扉３が本体枠２に対して施錠されているとき、鉤部３２ａは前面扉３に設けられた背板面（受け部）３ｃに係止するようなっている（図１３参照）。また、前部施錠杆３２の一側面には下側係合凹部３２ｂと上側係合凹部３２ｃが形成されており、前部施錠杆３２の他側面には係合突起３２ｄが形成されている。
【００２７】
第１のロックレバー３６には支軸３６ａが設けられており、この支軸３６ａはベース部材３３の下側のガイド孔３３ａに回転可能かつ上下動可能に挿入されている。第１のロックレバー３６の下端部とベース部材３３との間には第２の弾性手段であるコイルばね４４が張架されており、第１のロックレバー３６はこのコイルばね４４によって斜め下方へ付勢されている。また、第１のロックレバー３６の上端部には係止突起３６ｂが形成されており、第１のロックレバー３６の中央付近にはピン状の駆動受３６ｃが設けられている。この係止突起３６ｂは第１のロックレバー３６の揺動に伴って一方の段付き孔３３ｃ内を移動し、後部施錠杆３１の下側係合凹部３１ｂと段付き孔３３ｃの段部に対して係脱可能となっている。
【００２８】
第２のロックレバー３７には支軸３７ａが設けられており、この支軸３７ａはベース部材３３の上側のガイド孔３３ｂに回転可能かつ上下動可能に挿入されている。第２のロックレバー３７の上端部とベース部材３３との間には第２の弾性手段であるコイルばね４５が張架されており、第２のロックレバー３７はこのコイルばね４５によって斜め上方へ付勢されている。また、第２のロックレバー３７の下端部には係止突起３７ｂが形成されており、第２のロックレバー３７の中央付近にはピン状の駆動受３７ｃが設けられている。この係止突起３７ｂは第２のロックレバー３７の揺動に伴って他方の段付き孔３３ｄ内を移動し、前部施錠杆３２の下側係合凹部３２ｂと段付き孔３３ｄの段部に対して係脱可能となっている。
【００２９】
第１の規制レバー３８はピン４６を用いてベース部材３３の他面側に揺動可能に支持されており、コイルばね４７によって本体枠２の背面側へ突出する方向に付勢されている。第１の規制レバー３８の一端側には係合突部３８ａが形成されており、この係合突部３８ａは後部施錠杆３１の上側係合凹部３１ｃと係脱可能となっている。
【００３０】
第２の規制レバー３９はピン４８を用いてベース部材３３の他面側に揺動可能に支持されており、コイルばね４９によって本体枠２の前面側へ突出する方向に付勢されている。第２の規制レバー３９の一端側には係合突部３９ａが形成されており、この係合突部３９ａは前部施錠杆３２の上側係合凹部３２ｃと係脱可能となっている。
【００３１】
ロック解除部材４０は中央付近に矩形状の駆動部４０ｃを有しており、この駆動部４０ｃに前述した連結孔４０ａ，４０ｂが形成されている。駆動部４０ｃの下辺側には後部施錠杆３１の係合突起３１ｄと第１のロックレバー３６の駆動受３６ｃとが位置しており、ロック解除部材４０が初期位置から下方へ移動すると、これら係合突起３１ｄや駆動受３６ｃが駆動部４０ｃの下辺に当接するようになっている。また、駆動部４０ｃの上辺側には前部施錠杆３２の係合突起３２ｄと第２のロックレバー３７の駆動受７６ｃとが位置しており、ロック解除部材４０が初期位置から上方へ移動すると、これら係合突起３２ｄや駆動受７６ｃが駆動部４０ｃの上辺に当接するようになっている。
【００３２】
このように構成された施錠装置３０は、図４と図６に示すように、ベース部材３２に両施錠杆３１，３２やロック解除部材４０等を組み込んでユニット化した後、ベース部材３２を本体枠２の右側枠部の裏面にネジ止め等の固定手段を用いて取り付けられて使用される。以下、かかる施錠装置３０の動作を主として図７〜図１７に基づいて説明する。なお、図７〜図１２は機枠１に対して本体枠２を開閉する場合の動作説明図、図１３〜図１７は本体枠２に対して前面扉３を開閉する場合の動作説明図であり、これらの図において、本体枠２と前面扉３は図示省略されている。
【００３３】
本実施形態例に係るパチンコ機Ｐにおいて、常態では、本体枠２が機枠１に対して閉じられていると共に、前面扉３が本体枠２に対して閉じられている。図７（ａ）と図１３（ａ）に示すように、この場合、後部施錠杆３１と前部施錠杆３２およびロック解除部材４０はいずれも初期位置にあり、後部施錠杆３１の鉤部３１ａは機枠１の受け部１ａに係止し、前部施錠杆３２の鉤部３２ａは前面扉３の背板面３ｃに係止している。また、第１のロックレバー３６と第２のロックレバー３７は共にロック位置あり、図８から明らかなように、第１のロックレバー３６の係止突起３６ｂが後部施錠杆３１の下側係合凹部３１ｂと段付き孔３３ｃの段部に係止し、第２のロックレバー３７の係止突起３７ｂが前部施錠杆３２の下側係合凹部３２ｂと段付き孔３３ｄの段部に係止しているため、後部施錠杆３１と前部施錠杆３２はいずれもロック状態に維持されている。したがって、外部から挿入した針金等を用いて後部施錠杆３１や前部施錠杆３２を上下動することはできず、キーを用いずに本体枠２や前面扉３を解錠するという不正行為を防止できる。なお、このように本体枠２と前面扉３が閉じられているとき、第１の規制レバー３８は機枠１に押し当てられて係合突部３８ａと後部施錠杆３１の上側係合凹部３１ｃとの係合を解除し、第２の規制レバー３９は前面扉３の背板面３ｃに押し当てられて係合突部３９ａと前部施錠杆３２の上側係合凹部３２ｃとの係合を解除している。
【００３４】
この状態から本体枠２と前面扉３のいずれか一方、例えば機枠１に対して本体枠２を解錠する場合、シリンダ錠１１の鍵穴１１ａに差し込んだキーを時計回りに回転操作すると、それに伴ってカム板３５が時計回りに回転してロック解除部材４０を下方へ移動させる。このようにロック解除部材４０が初期位置から下方へ移動し始めると、まず、駆動部４０ｃの下辺が駆動受３６ｃに当接して第１のロックレバー３６を図８の時計回りに揺動させるため、第１のロックレバー３６の係止突起３６ｂが後部施錠杆３１の下側係合凹部３１ｂと段付き孔３３ｃの段部から外れ、後部施錠杆３１は第１のロックレバー３６によるロックが解除されたアンロック状態となる。これにより、第１のロックレバー３６はコイルばね４４の付勢力によって下方へ移動し、図７（ｂ）と図９に示すように、支軸３６ａがガイド孔３３ａ内を上端から下端へ向かって移動し、駆動受３６ｃが駆動部４０ｃの下辺から大きく離れる。そして、キーをさらに時計回りに回転操作してロック解除部材４０を下方へ移動させると、駆動部４０ｃの下辺が係合突起３１ｄに当接して後部施錠杆３１をコイルばね４２の付勢力に抗して押し下げるため、図７（ｃ）と図１０に示すように、後部施錠杆３１の鉤部３１ａと機枠１の受け部１ａとの係合が解除される。この時点で後部施錠杆３１による施錠は解除されて解錠状態となっているため、本体枠２を機枠１に対して開放することができる。
【００３５】
かかる解錠後にキーを逆向き（反時計回り）に回転操作してロック解除部材４０を初期位置に戻すと、図７（ｄ）と図１１に示すように、ロック解除部材４０の上動に伴って後部施錠杆３１がコイルばね４２の付勢力を受けて上方へ移動するが、第１のロックレバー３６はコイルばね４４の付勢力を受けて下方位置で停止したまま上動しないため、後部施錠杆３１だけがアンロック状態のまま初期位置に向かって上動し、この状態のまま本体枠２は機枠１に対して開放動作される。なお、本体枠２が機枠１に対して所定角度だけ開放されると、図７（ｃ）に示すように、第１の規制レバー３８がコイルばね４７に付勢されて機枠１から離反し、その後に後部施錠杆３１が初期位置まで戻ると、図７（ｄ）に示すように、第１の規制レバー３８の係合突部３８ａが上側係合凹部３１ｃに係合して後部施錠杆３１の上下動を阻止する。すなわち、本体枠２が機枠１に対し所定角度を超えて開放されているとき、後部施錠杆３１は第１のロックレバー３６の代わりに第１の規制レバー３８によってロック状態とされるため、本体枠２の開放時に後部施錠杆３１を下動させるような外力が作用したとしても、後部施錠杆３１を移動させることはできず、後部施錠杆３１と第１のロックレバー３６とのアンロック状態は維持される。
【００３６】
そして、このように解錠した本体枠２を機枠１に対して施錠する場合、本体枠２を開放位置から閉鎖方向へ回動すると、まず、第１の規制レバー３８が機枠１に当接して係合突部３８ａと後部施錠杆３１の上側係合凹部３１ｃとの係合を解除した後、図７（ｅ）と図１２に示すように、後部施錠杆３１に形成された鉤部３１ａの傾斜面が機枠１の受け部１ａに当接する。この時点で後部施錠杆３１は第１の規制レバー３８と第１のロックレバー３６によるロックを共に解除された状態になっており、この状態で本体枠２をさらに閉鎖方向へ回動して機枠１側へ押し込むと、その押し込み力によって後部施錠杆３１はコイルばね４２の付勢力に抗して下方へ移動し、鉤部３１ａの傾斜面が受け部１ａを通過すると、後部施錠杆３１はコイルばね４２の付勢力を受けて初期位置に向かって上方へ移動し、鉤部３１ａは受け部１ａに係止される。そして、この後部施錠杆３１の上動途中で下方位置に保持されていた第１のロックレバー３６の係止突起３６ｂが後部施錠杆３１の下側係合凹部３１ｂに係合するため、後部施錠杆３１と第１のロックレバー３６は係合状態を維持したまま初期位置まで戻り、図７（ａ）と図８に示すように、この初期位置で第１のロックレバー３６の係止突起３６ｂが段付き孔３３ｃの段部に係止されるため、後部施錠杆３１は再び第１のロックレバー３６によって上下動が阻止されたロック状態となる。
【００３７】
また、本体枠２に対して前面扉３を解錠する場合は、シリンダ錠１１の鍵穴１１ａに差し込んだキーを上記と逆方向（反時計回り）に回転操作すれば良く、この場合、図１３〜図１７に示すように、後部施錠杆３１や第１のロックレバー３６の代わりに前部施錠杆３２や第２のロックレバー３７が同様に動作する。すなわち、キーの回転操作に伴ってロック解除部材４０が初期位置から上方へ移動し始めると、まず、駆動部４０ｃの上辺が駆動受３７ｃに当接して第２のロックレバー３７を図１３（ａ）の反時計回りに揺動させるため、第２のロックレバー３７の係止突起３７ｂが前部施錠杆３２の下側係合凹部３２ｂと段付き孔３３ｄの段部から外れ、前部施錠杆３２は第２のロックレバー３７によるロックが解除されたアンロック状態となる。これにより、第２のロックレバー３７はコイルばね４５の付勢力によって上方へ移動し、図１３（ｂ）と図１４に示すように、支軸３７ａがガイド孔３３ｂ内を下端から上端へ向かって移動し、駆動受３７ｃが駆動部４０ｃの上辺から大きく離れる。そして、キーをさらに反時計回りに回転操作してロック解除部材４０を上方へ移動させると、駆動部４０ｃの上辺が係合突起３２ｄに当接して前部施錠杆３２をコイルばね４３の付勢力に抗して押し上げるため、図１３（ｃ）と図１５に示すように、前部施錠杆３２の鉤部３２ａと前面扉３の背板面（受け部）３ｃとの係合が解除される。この時点で前部施錠杆３２による施錠は解除されて解錠状態となっているため、前面扉３を本体枠２に対して開放することができる。
【００３８】
かかる解錠後にキーを逆向き（時計回り）に回転操作してロック解除部材４０を初期位置に戻すと、図１３（ｄ）と図１６に示すように、ロック解除部材４０の下動に伴って前部施錠杆３２がコイルばね４３の付勢力を受けて下方へ移動するが、第２のロックレバー３７はコイルばね４５の付勢力を受けて上方位置で停止したまま下動しないため、前部施錠杆３２だけがアンロック状態のまま初期位置に向かって下動し、この状態のまま前面扉３は本体枠２に対して開放動作される。なお、前面扉３が本体枠２に対して所定角度だけ開放されると、図１３（ｃ）に示すように、第２の規制レバー３９がコイルばね４９に付勢されて前面扉３の背板面３ｃから離反し、その後に前部施錠杆３２が初期位置まで戻ると、図１３（ｄ）に示すように、第２の規制レバー３９の係合突部３９ａが上側係合凹部３２ｃに係合して前部施錠杆３２の上下動を阻止する。すなわち、前面扉３が本体枠２に対し所定角度を超えて開放されているとき、前部施錠杆３２は第２のロックレバー３７の代わりに第２の規制レバー３９によってロック状態とされるため、前面扉３の開放時に前部施錠杆３２を下動させるような外力が作用したとしても、前部施錠杆３２を移動させることはできず、前部施錠杆３２と第２のロックレバー３７とのアンロック状態は維持される。
【００３９】
そして、このように解錠した前面扉３を本体枠２に対して施錠する場合、前面扉３を開放位置から閉鎖方向へ回動すると、まず、前面扉３の背板面３ｃが第２の規制レバー３９に当接して係合突部３９ａと前部施錠杆３２の上側係合凹部３２ｃとの係合を解除した後、図１３（ｅ）と図１７に示すように、前部施錠杆３２に形成された鉤部３２ａの傾斜面が背板面３ｃに当接する。この時点で前部施錠杆３２は第２の規制レバー３９と第２のロックレバー３７によるロックを共に解除された状態になっており、この状態で前面扉３をさらに閉鎖方向へ回動して本体枠２側へ押し込むと、その押し込み力によって前部施錠杆３２はコイルばね４３の付勢力に抗して上方へ移動し、鉤部３２ａの傾斜面が背板面３ｃを通過すると、前部施錠杆３２はコイルばね４３の付勢力を受けて初期位置に向かって下方へ移動し、鉤部３２ａは背板面３ｃに係止される。そして、この前部施錠杆３２の下動途中で上方位置に保持されていた第２のロックレバー３７の係止突起３７ｂが前部施錠杆３２の下側係合凹部３２ｂに係合するため、前部施錠杆３２と第２のロックレバー３７は係合状態を維持したまま初期位置まで戻り、図１３（ａ）に示すように、この初期位置で第２のロックレバー３７の係止突起３７ｂが段付き孔３３ｄの段部に係止されるため、前部施錠杆３２は再び第２のロックレバー３７によって上下動が阻止されたロック状態となる。
【００４０】
以上説明したように、本実施形態例に係るパチンコ機Ｐでは、本体枠２と前面扉３がいずれも施錠されているとき、機枠１側の受け部１ａに係止している後部施錠杆（第１の施錠杆）３１の上下動が第１のロックレバー３６によって阻止されると共に、前面扉３側の背板面（受け部）３ｃに係止している前部施錠杆（第２の施錠杆）３２が第２のロックレバー３７によって阻止されるようになっているため、外部から挿入した針金等を用いて後部施錠杆３１や前部施錠杆３２を上下動することはできず、キーを用いずに本体枠２や前面扉３を解錠するという不正行為を防止することができる。そして、シリンダ錠１１の鍵穴１１ａに差し込んだキーを回転操作してロック解除部材４０を上下動させると、第１および第２のロックレバー３６，３７が選択的に揺動して後部施錠杆３１や前部施錠杆３２をロック解除することができ、開放状態にある本体枠２や前面扉３を閉じると、第１のロックレバー３６や第２のロックレバー３７を機枠１や前面扉３に当接させることなくロック位置に移動させることができる。したがって、このパチンコ機Ｐは、本体枠２に組み付けた施錠装置３０をシリンダ錠１１の鍵穴１１ａに差し込んだキーの回転操作によって確実に解錠／施錠することができると共に、ロック機構や施錠装置３０の配置場所等を含めた設計上の自由度を高めることができる。
【００４１】
さらに、本実施形態例に係るパチンコ機Ｐでは、本体枠２が機枠１に対し所定角度を越えて開放されたとき、後部施錠杆３１に第１の規制レバー３８を係止させてロック状態となし、本体枠２が機枠１に対して施錠されているとき、この第１の規制レバー３８を機枠１に押し当てて後部施錠杆３１との係合が解除されるようにしているので、本体枠２の開放時に後部施錠杆３１が下動して第１のロックレバー３６に誤ってロックされてしまうことを防止できる。同様に、前面扉３が本体枠２に対し所定角度を越えて開放されたとき、前部施錠杆３２に第２の規制レバー３９を係止させてロック状態となし、前面扉３が本体枠２に対して施錠されているとき、この第２の規制レバー３９を前面扉３の背面に押し当てて前部施錠杆３２との係合が解除されるようにしているので、前面扉３の開放時に前部施錠杆３２が上動して第２のロックレバー３７に誤ってロックされてしまうことを防止できる。
【００４２】
なお、上記実施形態例では、透明板４や操作ハンドル１６等が設けられた一体型の前面扉３を本体枠２に開閉可能に軸支したパチンコ機Ｐについて説明したが、透明板等が設けられた上扉と操作ハンドル等が設けられた下扉とからなる分離タイプの前面扉にも本発明は適用可能であり、その場合、上扉を開放しない限り下扉を開放できないようになっていれば、前部施錠杆３２の鉤部３２ａを上扉側の受け部に係止させることにより、上扉と下扉の両方を本体枠２に対して施錠することができる。
【００４３】
また、上記実施形態例では、キーを一方向へ回転操作して後部施錠杆３１を下動させることで本体枠２が解錠され、キーを他方向へ回転操作して前部施錠杆３２を上動させることで前面扉３が解錠されるようになっているが、これとは逆に、後部施錠杆３１の上動によって本体枠２が解錠され、前部施錠杆３２の上動によって前面扉３が解錠される構成とすることも可能であり、その場合は、後部施錠杆３１をコイルばね４２によって下方へ付勢すると共に、前部施錠杆３２をコイルばね４３によって上方へ付勢すれば良い。
【符号の説明】
【００４４】
１  機枠
１ａ  受け部
２  本体枠
３  前面扉
３ｃ  背板面（受け部）
１１  シリンダ錠
１１ａ  鍵穴
３０  施錠装置
３１  後部施錠杆（第１の施錠杆）
３１ａ  鉤部
３１ｂ  下側係合凹部
３１ｃ  上側係合凹部
３１ｄ  係合突起
３２  前部施錠杆（第２の施錠杆）
３２ａ  鉤部
３２ｂ  下側係合凹部
３２ｃ  上側係合凹部
３２ｄ  係合突起
３３  ベース部材
３３ａ，３３ｂ  ガイド孔
３３ｃ，３３ｄ  段付き孔
３４  取付板
３５  カム板
３５ａ，３５ｂ  駆動腕
３６  第１のロックレバー
３６ａ  支軸
３６ｂ  係止突起
３６ｃ  駆動受
３７  第２のロックレバー
３７ａ  支軸
３７ｂ  係止突起
３７ｃ  駆動受
３８  第１の規制レバー
３８ａ  係合突部
３９  第２の規制レバー
３９ａ  係合突部
４０  ロック解除部材
４０ａ，４０ｂ  連結孔
４０ｃ  駆動部
４２，４３  コイルばね（第１の弾性手段）
４４，４５  コイルばね（第２の弾性手段）
４６，４８  ピン
４７，４９  コイルばね
Ｐ  パチンコ機
【図１】
0005878333.tif 000002
【図２】
0005878333.tif 000003
【図３】
0005878333.tif 000004
【図４】
0005878333.tif 000005
【図５】
0005878333.tif 000006
【図６】
0005878333.tif 000007
【図７】
0005878333.tif 000008
【図８】
0005878333.tif 000009
【図９】
0005878333.tif 000010
【図１０】
0005878333.tif 000011
【図１１】
0005878333.tif 000012
【図１２】
0005878333.tif 000013
【図１３】
0005878333.tif 000014
【図１４】
0005878333.tif 000015
【図１５】
0005878333.tif 000016
【図１６】
0005878333.tif 000017
【図１７】
0005878333.tif 000018